(57)【要約】【課題】  コンピュータ用スイッチングハブの提供。【解決手段】  本体内に制御回路が設置され、該本体が２台或いは２台以上のコンピュータ、及びキーボード、マウス、ディスプレイ等の周辺設備に接続され、制御回路の制御により、本体、マウス或いはキーボードのキーの操作で異なるコンピュータの切り換えが行なって、ディスプレイに選択したコンピュータのデータ信号を表示させることができ、複数のコンピュータを制御する目的を達成し、ソフトウエアをインストール必要がなく、管理及び使用の効率を高め、そのうち、制御回路はマイクロプロセッサ、ＯＳＤ制御回路、フィルタ切り換え回路及び関係周辺設備の検査・変換回路を具えている。【選択図】        図２
0003102565.tif 000002
【実用新案登録請求の範囲】
【請求項１】
本体を具え、該本体内に制御回路が設置され、該本体が２台或いは２台以上のコンピュータ、及びキーボード、マウス、ディスプレイ等の周辺設備に接続され、制御回路の制御により、本体、マウス或いはキーボードのキーを操作してコンピュータ間の切り換えを行なうことができ、複数のコンピュータを制御することができることを特徴とする、コンピュータ用スイッチングハブ。
【請求項２】
請求項１記載のコンピュータ用スイッチングハブにおいて、本体に接続されたキーボードの設定されたキーの操作により、マウスによる切り換え操作のオンとオフを行なうことができるよう形成されたことを特徴とする、コンピュータ用スイッチングハブ。
【請求項３】
請求項１記載のコンピュータ用スイッチングハブにおいて、本体に接続されたキーボードが、もとのキー設定をオフとし、更に他の設定キーで選択、切り換えを行なえるようにする機能を具えたことを特徴とする、コンピュータ用スイッチングハブ。
【請求項４】
請求項１記載のコンピュータ用スイッチングハブにおいて、本体に設けられた制御回路が、マイクロプロセッサ、ＯＳＤ制御回路、フィルタ切り換え回路、キーボード制御回路、マウス制御回路、ＶＧＡ制御回路を具え、
該マイクロプロセッサは制御プログラムを具え、キーボード、マウスからの切り換え信号を処理し、
該ＯＳＤ制御回路は、該マイクロプロセッサに接続され、該マイクロプロセッサのプログラムにより表示画面の選択を行ない、
該フィルタ切り換え回路は、ＯＳＤ制御回路及びディスプレイに接続され、該ＯＳＤ制御回路が未選択の画面信号を濾過し、並びに既に選択した信号に切り換えてそれをディスプレイに表示し、
該キーボード制御回路は、マイクロプロセッサ及びコンピュータに接続されて両者のインタフェースとされ、キーボードの信号を検出後にマイクロプロセッサが受け入れられる信号に変換し、キーボードとマイクロプロセッサ間にマッチングを達成させ、
該マウス制御回路は、マイクロプロセッサ及びコンピュータに接続されて両者のインタフェースとされ、マウスの信号を検出後にマイクロプロセッサが受け入れられる信号に変換し、マウスとマイクロプロセッサ間にマッチングを達成させ、
該ＶＧＡ制御回路は、フィルタ切り換え回路とコンピュータに接続されて両者のインタフェースとされ、コンピュータの信号を検出後にフィルタ切り換え回路の受け入れられる信号に変換し、コンピュータとフィルタ切り換え回路の間にマッチングを達成させることを特徴とする、コンピュータ用スイッチングハブ。
【考案の詳細な説明】
【技術分野】
【０００１】
本考案は一種のコンピュータ用スイッチングハブに係り、特に、キーボード、マウスのキー操作により、コンピュータの切り換え選択が行なってディスプレイの選択したコンピュータの信号を表示でき、複数台のコンピュータを制御するのに便利なコンピュータ用スイッチングハブに関する。
【背景技術】
【０００２】
コンピュータ工業の発展により、その高い処理速度は人類に相当な程度の作業効率アップをもたらし、テクノロジーの不断の進歩と情報化の推進により、単一のコンピュータを使用するだけでは場合や作業状況によっては十分でないことがある。このため複数のコンピュータを相互に組合せ、接続して大量のデータを保存、処理することが、現在のテクノロジー社会の傾向である。ゆえに、空間と設備費用を節約しつつ、複数のコンピュータの管理と使用効率を高める技術が求められる。すでに複数のコンピュータ間での切り換えが行なえる装置があり、その操作方式は、毎回切り換え時に切り換え装置に設けられたスイッチ或いはキーボードに設けられたキーを操作する、というものである。しかし、市場には数多くのソフトウエアがあり、切り換え装置に設けられたキーと抵触し、操作上、相当に面倒であったり、且つ使用不能な状況を発生することが多く、理想的でない。
【考案の開示】
【考案が解決しようとする課題】
【０００３】
本考案の主要な目的は、一種のコンピュータ用スイッチングハブを提供することにあり、それは複数のコンピュータをキーボード、マウスのキー操作で選択でき、コンピュータ間の切り換えを行なうことができ、管理及び使用上の効率を高めることができるものとする。
【課題を解決するための手段】
【０００４】
請求項１の考案は、本体を具え、該本体内に制御回路が設置され、該本体が２台或いは２台以上のコンピュータ、及びキーボード、マウス、ディスプレイ等の周辺設備に接続され、制御回路の制御により、本体、マウス或いはキーボードのキーを操作してコンピュータ間の切り換えを行なうことができ、複数のコンピュータを制御することができることを特徴とする、コンピュータ用スイッチングハブとしている。
請求項２の考案は、請求項１記載のコンピュータ用スイッチングハブにおいて、本体に接続されたキーボードの設定されたキーの操作により、マウスによる切り換え操作のオンとオフを行なうことができるよう形成されたことを特徴とする、コンピュータ用スイッチングハブとしている。
請求項３の考案は、請求項１記載のコンピュータ用スイッチングハブにおいて、本体に接続されたキーボードが、もとのキー設定をオフとし、更に他の設定キーで選択、切り換えを行なえるようにする機能を具えたことを特徴とする、コンピュータ用スイッチングハブとしている。
請求項４の考案は、請求項１記載のコンピュータ用スイッチングハブにおいて、本体に設けられた制御回路が、マイクロプロセッサ、ＯＳＤ制御回路、フィルタ切り換え回路、キーボード制御回路、マウス制御回路、ＶＧＡ制御回路を具え、
該マイクロプロセッサは制御プログラムを具え、キーボード、マウスからの切り換え信号を処理し、
該ＯＳＤ制御回路は、該マイクロプロセッサに接続され、該マイクロプロセッサのプログラムにより表示画面の選択を行ない、
該フィルタ切り換え回路は、ＯＳＤ制御回路及びディスプレイに接続され、該ＯＳＤ制御回路が未選択の画面信号を濾過し、並びに既に選択した信号に切り換えてそれをディスプレイに表示し、
該キーボード制御回路は、マイクロプロセッサ及びコンピュータに接続されて両者のインタフェースとされ、キーボードの信号を検出後にマイクロプロセッサが受け入れられる信号に変換し、キーボードとマイクロプロセッサ間にマッチングを達成させ、
該マウス制御回路は、マイクロプロセッサ及びコンピュータに接続されて両者のインタフェースとされ、マウスの信号を検出後にマイクロプロセッサが受け入れられる信号に変換し、マウスとマイクロプロセッサ間にマッチングを達成させ、
該ＶＧＡ制御回路は、フィルタ切り換え回路とコンピュータに接続されて両者のインタフェースとされ、コンピュータの信号を検出後にフィルタ切り換え回路の受け入れられる信号に変換し、コンピュータとフィルタ切り換え回路の間にマッチングを達成させることを特徴とする、コンピュータ用スイッチングハブとしている。
【考案の効果】
【０００５】
本考案のコンピュータ用スイッチングハブは、複数のコンピュータをキーボード、マウスのキーで選択操作でき、コンピュータ間の切り換えを行なうことができ、管理及び使用上の効率を高めることができる。
【考案を実施するための最良の形態】
【０００６】
本考案のコンピュータ用スイッチングハブは、本体を具え、該本体内に制御回路が設置され、該本体が２台或いは２台以上のコンピュータ、及びキーボード、マウス、ディスプレイ等の周辺設備に接続され、制御回路の制御により、本体、マウス或いはキーボードのキーを操作してコンピュータ間の切り換えを行なうことができ、複数のコンピュータを制御する目的を達成し、ソフトウエアをインストール必要がない。
【０００７】
前述のコンピュータ用スイッチングハブは、制御回路が制御プログラムを格納したマイクロプロセッサを具え、ディスプレイ画面の制御を行ない、マイクロプロセッサが選択したコンピュータ信号をフィルタ切り換え回路に伝送して、該フィルタ切り換え回路に接続されたディスプレイが該回路の切り換え信号により、異なるコンピュータが出力する画面を表示する。
【実施例１】
【０００８】
図１、２に示されるように、本考案は本体１００を具え、該本体１００内に制御回路１が設けられている。該制御回路１は、マイクロプロセッサ１１、ＯＳＤ制御回路１５、フィルタ切り換え回路１６、キーボード制御回路１８、マウス制御回路１９、ＶＧＡ制御回路１９を具えている。
【０００９】
該マイクロプロセッサ１１は制御プログラムが設けられ、キーボード１２、マウス１３、及び２台或いは２台以上のコンピュータ１４に接続されている。
【００１０】
該ＯＳＤ制御回路１５は、該マイクロプロセッサ１１に接続され、該マイクロプロセッサ１１のプログラムにより表示画面の選択を行なう。
【００１１】
該フィルタ切り換え回路１６は、ＯＳＤ制御回路１５及びディスプレイ１７に接続され、該ＯＳＤ制御回路１５が未選択の画面信号を濾過し、並びに既に選択した信号に切り換えてそれをディスプレイ１７に表示する。
【００１２】
該キーボード制御回路１８は、マイクロプロセッサ１１及びコンピュータ１４に接続されて両者のインタフェースとされ、キーボード１２の信号を検出後にマイクロプロセッサ１１が受け入れられる信号に変換し、キーボード１２とマイクロプロセッサ１１間にマッチングを達成させる。
【００１３】
該マウス制御回路１９は、マイクロプロセッサ１１及びコンピュータ１４に接続されて両者のインタフェースとされ、マウス１３の信号を検出後にマイクロプロセッサ１１が受け入れられる信号に変換し、マウス１３とマイクロプロセッサ１１間にマッチングを達成させる。
【００１４】
該ＶＧＡ制御回路１９は、フィルタ切り換え回路１６とコンピュータ１４に接続されて両者のインタフェースとされ、コンピュータ１４の信号を検出後にフィルタ切り換え回路１６の受け入れられる信号に変換し、コンピュータ１４とフィルタ切り換え回路１６の間にマッチングを達成させる。
【００１５】
以上の部品が組み合わされてなり、複数のコンピュータ１４とキーボード１２、マウス１３、ディスプレイ１７等の周辺設備がそれぞれ本体１００に接続され、マイクロプロセッサ１１に設けられたプログラムの制御により、キーボード１２に設けられたキー或いはマウス１３の複合キーによる切り換え或いは本体１００に設けられたキー２１による直接切り換えにより、異なるコンピュータ１４を制御することができる。
【００１６】
キーボード１２を使用して切り換えを行なう時、キーボード１２に制御用のキーが設定され、これらのキーにより異なるコンピュータ１４を制御する。例えば、〔Ｌｅｆｔ  ｃｔｒｌ〕＋〔Ｌｅｆｔ  ｃｔｒｌ〕で前のコンピュータを選択し、〔Ｒｉｇｈｔ  ｃｔｒｌ〕＋〔Ｒｉｇｈｔ  ｃｔｒｌ〕で後のコンピュータを選択し、〔Ｆ１〕〜〔Ｆｎ〕で直接いずれかのコンピュータを選択し、〔Ｓｃｒｏｌｌ  Ｌｏｃｋ〕＋〔Ｓｃｒｏｌｌ  Ｌｏｃｋ〕で自動巡回モードに進入し、〔Ｅｓｃ〕で自動巡回モードから離脱し、〔ｗｉｎ〕でマウスでコンピュータ選択する機能を起動／停止する。
【００１７】
マウス１３を使用して切り換える時は、直接マウス１３の左右のボタン１３１、１３２により異なるコンピュータ１４のクリック選択を行なう。
【００１８】
キーボード１２或いはマウス１３のいずれで切り換え操作を行なっても、ディスプレイ１７画面は切り換えの結果により、異なるコンピュータ１４のデータ信号が表示され、また、制御回路内のＯＳＤ制御回路もまたディスプレイの画面を適当に変換し、これにより、マウスによってディスプレイ１７上の画面の切り換え選択が行なえ、複数のコンピュータ１４の制御を更に快速に行なうことができ、便利である。
【００１９】
総合すると、本考案は制御プログラムを設けたマイクロプロセッサに、ＯＳＤ制御回路及びフィルタ切り換え回路を組み合わせ、キーボード、マウスのキーで複数のコンピュータを制御できるようにし、これにより空間と設備費用を節約し、且つ管理及び使用上の効率を高めることができる。
【図面の簡単な説明】
【００２０】
【図１】本考案の斜視図である。
【図２】本考案の回路ブロック図である。
【図３】本考案の使用実施例図である。
【符号の説明】
【００２１】
１  制御回路              １１  マイクロプロセッサ
１２  キーボード          １３  マウス
１４  コンピュータ        １５  ＯＳＤ制御回路
１６  フィルタ切り換え回路      １７  ディスプレイ
１８  キーボード制御回路        １９  マウス制御回路
２０  ＶＧＡ制御回路            ２１  キー
１００  本体
１３１  左ボタン                １３２  右ボタン
【図１】
0003102565.tif 000003
【図２】
0003102565.tif 000004
【図３】
0003102565.tif 000005